(57)【要約】      （修正有）【課題】潰れ難く、かつ、内部に収容された書類等が確実に保護される鍵付きファイルを提供する。【解決手段】対向配置される表表紙１７および裏表紙１２と、ヒンジ部を介して、表表紙および裏表紙を一体に連結する背表紙１６と、裏表紙のうち背表紙とは反対側の縁部から立ち上がる前表紙１３と、裏表紙のもう一対の縁部から前表紙と同方向に立ち上がり前表紙と一体に連結された一対の側板１４と、表表紙のうち背表紙と反対側の縁部にヒンジ部を介して設けられ、前表紙と重ね合わされる重ね部２０と、背表紙の内面に取り付けられたとじ具２１と、を備え、裏表紙の外面に係合部材３１が固定され、重ね部に、係合部材を着脱可能に係合する係合孔と係合状態をロックするダイヤル錠を備えた鍵付き被係合部材４０が固定され、前表紙には、鍵付き被係合部材を逃がす孔部２２が設けられている。【選択図】図１
0003205871.tif 000002
【実用新案登録請求の範囲】
【請求項１】
対向配置される表表紙および裏表紙と、
前記表表紙および前記裏表紙の各一縁部にヒンジ部を介して設けられ、前記表表紙および前記裏表紙を一体に連結する背表紙と、
前記裏表紙のうち前記背表紙とは反対側の縁部から立ち上がる前表紙と、
前記裏表紙のうち前記背表紙および前記前表紙が設けられた一対の縁部とは異なる一対の縁部から前記前表紙と同方向に立ち上がるとともに、前記前表紙と一体に連結された一対の側板と、
前記表表紙のうち前記背表紙と反対側の縁部にヒンジ部を介して設けられ、前記前表紙と重ね合わされる重ね部と、
前記表表紙、前記背表紙、または前記裏表紙から選ばれるひとつの内面に取り付けられ、書類等のとじ込み対象物がとじられるとじ具と、を備えるファイルであって、
前記裏表紙または前記前表紙の外面に係合部材が固定されており、
前記重ね部に、前記係合部材を着脱可能に係合する被係合部を有するとともに前記係合部材と前記被係合部との係合状態を鍵機構によりロックする鍵付き被係合部材が固定されており、
前記前表紙には、前記重ね部が当該前表紙に重ね合わされた状態において前記鍵付き被係合部材を逃がす孔部が設けられている、鍵付きファイル。
【請求項２】
前記一対の側板は、前記裏表紙の一対の端縁部に沿って当該一対の端縁部よりやや内側に奥まった位置に配されるとともに、それらの前記背表紙側の端縁部が、前記背表紙の内面に当接する請求項１に記載の鍵付きファイル。
【請求項３】
前記孔部は前記鍵付き被係合部材を内側に嵌合させる寸法に設定されている請求項１または請求項２に記載の鍵付きファイル。
【考案の詳細な説明】
【技術分野】
【０００１】
本考案は、鍵付きファイルに関する。
【背景技術】
【０００２】
特許文献１に示されるように、書類等のとじ具を備えた両開き式のファイルに、鍵装置（ロック装置）が設けられたものが知られている。この種のファイルでは、表表紙と裏表紙とが閉じられた状態で鍵をかけることが可能であり、部外者がファイルを開いてとじ具にとじられている書類等を抜き出すこと等が防止される。
【０００３】
また、特許文献１には、ファイルが閉じられた際に表表紙と裏表紙との間に形成される開放部（側面）が閉塞板によって塞がれた箱型の鍵付きファイルが示されている。このような箱型のファイルにおいて、ファイルが閉じられていると、書類等は、表表紙や閉塞板等により構成される箱の中に納まった状態となり、外部から見えなくなる。
【０００４】
上記箱型のファイルでは、表表紙と、裏表紙と、それらの間にある背表紙とが、互いに薄肉ヒンジ部を介して１枚のシート状に形成されている。そして、そのような表表紙の周縁又は裏表紙の周縁に対して、薄肉ヒンジ部を介して閉塞板が平面的かつ一体的に形成されている。閉塞板は、箱型のファイルを構成する際には、表表紙又は裏表紙から起立するように薄肉ヒンジ部で折り曲げられる。
【０００５】
また、これらの閉塞板は、ファイルのうち背表紙とは反対側の開放部に配される部分と、背表紙と隣り合う開放部に配される部分とが、折り畳み可能な連結部によって互いに平面的かつ一体的に形成されている。これらの閉塞板が表表紙又は裏表紙から起立した状態では、それらの間にある連結部が内側に突き出すように折り畳まれ、各開放部に対応する閉塞板が互いに起立した状態で略直角に隣接するようになっている。
【０００６】
一方、特許文献２においては、各開放部を塞ぐ閉塞板が個々に分割された形態の箱型ファイルが開示されている。このような構成のファイルにおいても、各閉塞板は表表紙又は裏表紙の周縁に対して薄肉ヒンジをを介して平面的かつ一体的に形成されており、閉塞板が起立した状態では、隣り合う閉塞板の端縁部同士が突き合わされてファイルを外部から閉じるようになっている。
【先行技術文献】
【特許文献】
【０００７】
【特許文献１】特開２００７−８１２８号公報
【特許文献２】実用新案登録第３２０１１６６号公報
【考案の概要】
【考案が解決しようとする課題】
【０００８】
上述した箱型のファイルは、いずれも閉塞板が薄肉ヒンジ部で折り曲げられることにより、表表紙又は裏表紙から起立した状態とされる。しかしこのような形態では、起立した閉塞板は比較的容易に倒れ易く、その結果、箱型のファイルが潰れて形成された隙間から書類が除き見られたり、抜き出されたりする懸念があった。
【０００９】
本考案明の目的は、潰れ難く、かつ、内部に収容された書類等が確実に保護される鍵付きファイルを提供することである。
【課題を解決するための手段】
【００１０】
本考案に係る鍵付きファイルは、対向配置される表表紙および裏表紙と、前記表表紙および前記裏表紙の各一縁部にヒンジ部を介して設けられ、前記表表紙および前記裏表紙を一体に連結する背表紙と、前記裏表紙のうち前記背表紙とは反対側の縁部から立ち上がる前表紙と、前記裏表紙のうち前記背表紙および前記前表紙が設けられた一対の縁部とは異なる一対の縁部から前記前表紙と同方向に立ち上がるとともに、前記前表紙と一体に連結された一対の側板と、前記表表紙のうち前記背表紙と反対側の縁部にヒンジ部を介して設けられ、前記前表紙と重ね合わされる重ね部と、前記表表紙、前記背表紙、または前記裏表紙から選ばれるひとつの内面に取り付けられ、書類等のとじ込み対象物がとじられるとじ具と、を備えるファイルであって、前記裏表紙または前記前表紙の外面に係合部材が固定されており、前記重ね部に、前記係合部材を着脱可能に係合する被係合部を有するとともに前記係合部材と前記被係合部との係合状態を鍵機構によりロックする鍵付き被係合部材が固定されており、前記前表紙には、前記重ね部が当該前表紙に重ね合わされた状態において前記鍵付き被係合部材を逃がす孔部が設けられている。
【００１１】
このような構成の鍵付きファイルによれば、表表紙および裏表紙を対向させた状態（ファイルを閉じた状態）において両者の間に形成される開放部分は、背表紙、前表紙、および、一対の側板により閉じられるが、このうち、前表紙および一対の側板は、ともに裏表紙から同方向に立ち上がって一体に連結されている。すなわち、前表紙および一対の側板は裏表紙を囲むコ字形状をなして裏表紙から立ち上がっているから、簡単に倒れることがない。そして、裏表紙に隣接する開放部分のうち残りの一面は、表表紙および裏表紙の間を連結する背表紙により閉じられるようになっているから、ファイルが閉じられロックされた状態において、この背表紙が倒れることもない。すなわち、上記構成の鍵付きファイルは潰れ難く、内部に収容された書類等を確実に保護することができる。
【００１２】
上記鍵付きファイルは、以下の構成を備えていてもよい。
【００１３】
一対の側板は、裏表紙の一対の端縁部に沿って当該一対の端縁部よりやや内側に奥まった位置に配されるとともに、それらの背表紙側の端縁部が、背表紙の内面に当接する構成としてもよい。
【００１４】
このような構成によれば、ファイルを閉じた状態とした場合に、背表紙は一対の側板により立ち上がり状態が支持されるから、より潰れにくい、強度が高いファイルとすることができる。
【００１５】
孔部は鍵付き被係合部材を内側に嵌合させる寸法に設定されていてもよい。
【００１６】
このような構成によれば、ファイルを閉じて重ね部を前表紙に重ねた状態において、重ね部に固定された鍵付き被係合部材が前表紙に設けられた孔部に嵌合することにより、鍵機構によりロックを行う以前に、前表紙と重ね部とを仮係止した状態とすることができる。
【考案の効果】
【００１７】
本考案によれば、潰れ難く、かつ、内部に収容された書類等を確実に保護することができる鍵付きファイルを提供することができる。
【図面の簡単な説明】
【００１８】
【図１】実施形態１の鍵付きファイルの開放状態の斜視図
【図２】同じく閉じる途中の斜視図
【図３】同じく閉じた状態の斜視図
【図４】同じく開放状態の平面図
【図５】実施形態２の鍵付きファイルの開放状態の斜視図
【図６】他の実施形態の鍵付きファイルの斜視図
【図７】他の実施形態の鍵付きファイルの斜視図
【図８】他の実施形態の鍵付きファイルの斜視図
【考案を実施するための形態】
【００１９】
＜実施形態１＞
実施形態１を、図１〜図４を参照しつつ説明する。以下、図１の上を上方、下を下方として説明する。
【００２０】
本実施形態の鍵付きファイル１０は、閉じた状態においては、やや扁平な直方体状の閉じた箱形をなしており、開いた状態においては、隣り合う二面が開放された箱形のファイル本体部１１に、開放面（二面）を塞ぐカバーが一体的に連結された形態をなしている。鍵付きファイル１０を構成する材料としては特に制限はなく、目的に応じて公知の材料の中から適宜選択される。具体的な材料としては、例えば、樹脂シート、厚紙等の紙類、金属板、木材、皮革等が挙げられる。
【００２１】
図１を参照してより詳細に説明すると、ファイル本体部１１は、書類を載置可能な大きさの長方形の板状の裏表紙１２と、裏表紙１２の一対の長辺のうち一方側の縁部から上方に向けて立ち上がる前表紙１３と、裏表紙１２の一対の短辺の縁部から同じく上方に向けて立ち上がる一対の側板１４と、を備えている。前表紙１３と一対の側板１４とは、裏表紙１２からの立ち上がり寸法が同等とされるとともに、隣り合う縁部同士が一体的に連結されている。すなわち、前表紙１３と一対の側板１４とは、裏表紙１２からコ字形状をなして立ち上がっており、裏表紙１２の三辺を取り囲むように配されている。
【００２２】
なお上述した一対の側板１４は、より正確には、裏表紙１２の一対の短辺の端縁部１２Ａに沿って、当該一対の端縁部１２Ａから僅かに内側に奥まった位置を基端として立ち上がっている。これにより、鍵付きファイル１０が閉じられた状態においては、一対の側板１４のうち後述する背表紙１６側の側端縁１４Ａが背表紙１６の内面１６Ａに当接するとともに、一対の側板１４の上端縁１４Ｂが後述する表表紙１７の内面１７Ａに当接するようになっている。
【００２３】
裏表紙１２の一対の長辺のうち、前表紙１３とは反対側の縁部には、前表紙１３と同等な大きさ（寸法）の背表紙１６が第１ヒンジ部１５を介して一体的に設けられている。この背表紙１６には、とじ具２１が取り付けられている。
【００２４】
とじ具２１は、書類等のとじ込み対象物をとじるための部材であり、背表紙１６の内面側において、幅方向および長さ方向における略中央の位置に取り付けられている。本実施形態のとじ具２１は金属製であり、一般的な２つ穴用のとじ具の構成からなる。とじ具２１は、背表紙１６に対して、ビスや接着剤等の公知の固定方法により、固定される。
【００２５】
背表紙１６のうち裏表紙１２と反対側の縁部には、裏表紙１２と同等な大きさ（寸法）の表表紙１７が第２ヒンジ部１８を介して一体的に設けられている。さらに、表表紙１７のうち背表紙１６と反対側の縁部には、前表紙１３と同等な大きさ（寸法）の重ね部２０が第３ヒンジ部１９を介して一体的に設けられている。
【００２６】
これにより、鍵付きファイル１０を完全に開いた状態（図１の状態）においては、裏表紙１２と、背表紙１６と、表表紙１７と、重ね部２０とは、第１ヒンジ部１５、第２ヒンジ部１８、および、第３ヒンジ部１９が１８０度開くことにより一枚のほぼ平坦な板状とされ、全体として、上面および一側面が開放されたやや扁平な箱形の形態をなす。
【００２７】
一方、鍵付きファイル１０を閉じた状態（図３の状態）とした場合には、第１ヒンジ部１５、第２ヒンジ部１８、および、第３ヒンジ部１９がそれぞれ直角状に屈曲され、表表紙１７と裏表紙１２、前表紙１３と背表紙１６、および、一対の側板１４が互いに平行に対向配置された、閉じた箱形の形態をなす。また重ね部２０は、前表紙１３の外面に重ね合わされる。
【００２８】
さて、本実施形態の鍵付きファイル１０には、閉じた状態をロックするための鍵装置３０が設けられている。
【００２９】
鍵装置３０は、裏表紙１２に固定される係合部材３１と、重ね部２０に固定され、係合部材３１を着脱可能に係合する係合孔４１（被係合部の一例）を有するとともに係合部材３１と係合孔４１との係合状態をロックするダイヤル錠４２（鍵機構の一例）を備えた鍵付き被係合部材４０と、から構成されている（図２参照）。
【００３０】
係合部材３１は、裏表紙１２の外面側にビス等を利用して取り付けられる固定部３２（図４参照）と、この固定部３２に対してヒンジ機構により揺動可能に取り付けられる可動片３３とを備えている。可動片３３の先端には、鍵付き被係合部材４０の係合孔４１に挿入される係合部３４が、可動片３３の板面からコ字形状に突出して設けられている。なお、係合部材３１は、裏表紙１２の長辺方向における中央部に固定されることが好ましい。
【００３１】
一方、鍵付き被係合部材４０は、係合部材３１の係合部３４を受け入れる係合孔４１と、鍵機構としてのダイヤル錠４２と、係合部３４と係合孔４１との係合状態を解除する解除操作部４３と、を備えており、重ね部２０にビス等を利用して固定されている。係合孔４１に係合部材３１の係合部３４が挿入された状態で、ダイヤル錠４２のダイヤルを操作すると、係合部３４と係合孔４１とが互いに係合した状態でロックされる。なお、ダイヤル錠４２のダイヤルに対して所定の操作を行い、解除操作部４３を操作して係合部３４と係合孔４１との係合を解除すれば、閉状態のファイル本体部１１を開状態とすることができる。
【００３２】
鍵付き被係合部材４０は、解除操作部４３、ダイヤル錠４２、および、係合部材３１の係合部３４を受け入れる係合孔４１を備えている構造上、肉厚に形成されている。その厚み寸法は、前表紙１３の厚み寸法より大きく、重ね部２０に設けられた収容孔２３から内側に向けて大きく張り出している（図１参照）。以下、この内側に向けて張り出した部分を、張出部４０Ａとする。
【００３３】
重ね部２０が前表紙１３に重ねられた状態において、このような鍵付き被係合部材４０が前表紙１３と干渉するのを回避するべく、前表紙１３のうち鍵付き被係合部材４０が重ねられる領域には、孔部２２が貫通形成されている。
【００３４】
孔部２２は、鍵付き被係合部材４０の張出部４０Ａの外形より大きい寸法に設定されており、これにより、張出部４０Ａをファイル本体部１１の内側に逃がすことを可能としている。本実施形態において、孔部２２は、前表紙１３のうち裏表紙１２側の端縁部（下端縁部）から開放面側（上方）に向けてコ字形状に切り欠くことにより、孔状に形成されている。前表紙１３のうち孔部２２より開放面側（上方）は切り欠かれずに残っており、前表紙１３の幅方向に延びる帯状のつなぎ部１３Ａとされている。
【００３５】
このような本実施形態の鍵付きファイル１０を使用する際には、まず、図１に示すように表表紙１７を開いた状態とし、書類をとじ具２１に取り付ける。そして、第１ヒンジ部１５および第２ヒンジ部１８を折り曲げて、表表紙１７を裏表紙１２と対向配置させ、第３ヒンジ部１９を折り曲げて重ね部２０を前表紙１３の外面に重ね合わせる（図２参照）。
【００３６】
すると、重ね部２０の内面側に張り出している鍵付き被係合部材４０の張出部４０Ａが前表紙１３の孔部２２内に逃がされ、重ね部２０が前表紙１３にぴったり重ね合わされる。そこで、係合部材３１の可動片３３を回動させて係合部３４を係合孔４１内に差し込み、ダイヤル錠４２を操作してロックする。
【００３７】
この状態において、一対の側板１４の背表紙１６側の側端縁１４Ａは、背表紙１６の内面１６Ａに当接している。また、一対の側板１４の上端縁１４Ｂは、表表紙１７の内面１７Ａに当接している。これにより、とじ具２１にとじられた書類は、外部に露出することなく、箱形の鍵付きファイル１０内に完全に収容された状態とされる。
【００３８】
このような本実施形態の鍵付きファイル１０によれば、前表紙１３および一対の側板１４は、ともに裏表紙１２から同方向（上方）に立ち上がって一体に連結されており、裏表紙１２を囲むコ字形状をなしているから、簡単に倒れることがない。また、ファイル本体部１１の開放部分のうち残りの一側面は、表表紙１７および裏表紙１２の間を連結する背表紙１６により閉じられるようになっているから、ファイル１０が閉じられた状態において、背表紙１６が倒れ難くなっている。
【００３９】
しかも、ファイル１０が閉じられた状態において、背表紙１６はその内面１６Ａが一対の側板１４の側端縁１４Ａに当接しており、支持されるようになっているから、より倒れ難くなっている。
【００４０】
さらに、ファイル１０が閉じられた状態において、表表紙１７はその内面１７Ａが一対の側板１４の上端縁１４Ｂに載置され、下側から支持されるようになっているから、潰れ難くなっている。
【００４１】
このように、本実施形態の鍵付きファイル１０によれば、潰れ難く、内部に収容された書類等を確実に保護することができる。
【００４２】
＜実施形態２＞
次に、実施形態２を図５によって説明する。なお、以下においては実施形態１と異なる構成についてのみ説明するものとし、実施形態１と同じ構成については、鍵付きファイル１０の各構成に付した符号の数字に４０を加えた数字の符号を用いるものとする。
【００４３】
本実施形態の鍵付きファイル５０は、鍵付き被係合部材８０の構成および前表紙５３に設けられる孔部６２の形態が上記実施形態１のものと相違している。
【００４４】
鍵付き被係合部材８０は接着材により重ね部６０に固定されており、ファイル５０を閉じた状態において内側に張り出している。一方、前表紙５３には、重ね部６０が重ね合わされた状態において、張出部８０Ａに対応する領域に、張出部８０Ａを内側にほぼぴったり嵌め入れる寸法、すなわち、張出部８０Ａの外形とほぼ同一寸法の孔部６２が形成されている。これにより、孔部６２の上方側は前表紙５３の幅方向に延びる上部つなぎ部５３Ａとされるとともに、下方側は下部つなぎ部５３Ｂとされている。
【００４５】
このような構成の鍵付きファイル５０によれば、ファイル５０を閉じて重ね部６０を前表紙５３に重ね合わせた状態において、重ね部６０に固定された鍵付き被係合部材８０の張出部８０Ａが前表紙５３に設けられた孔部６２内に嵌合することにより、ダイヤル錠８２によりロックを行う以前に、前表紙５３と重ね部６０とを仮係止した状態とすることができる。
【００４６】
また、孔部６２が張出部８０Ａを逃がす最小限の大きさとされているため、前表紙５３の強度が向上し、ひいては、鍵付きファイル５０がより潰れ難くなる。
【００４７】
＜他の実施形態＞
本考案は上記記述及び図面によって説明した実施形態に限定されるものではなく、例えば次のような実施形態も本考案の技術的範囲に含まれる。
【００４８】
（１）上記実施形態では、一対の側板１４を裏表紙１２の短辺側の端縁部からやや内側に奥まった位置に立設する構成としたが、端縁部から立設する構成としてもよい。
【００４９】
（２）上記実施形態において、とじ具２１は背表紙１６の内面１６Ａに取り付けられていたが、裏表紙１２の内面や表表紙１７の内面に取り付けられてもよい。
【００５０】
（３）上記実施形態では、鍵装置３０の鍵機構がダイヤル錠４２であったが、本考案の鍵装置３０はこれに限られず、公知の鍵機構を適用できる。
【００５１】
（４）上記実施形態では、裏表紙１２を床面に載置し、表表紙１７を上方から被せる構成としたが、表表紙１７を床面に載置し、裏表紙１２を上方から被せる構成としてもよい。
【００５２】
（５）上記実施形態１では、孔部２２を、前表紙１３の下端縁から上方に向けて切り欠いて形成する構成としたが、例えば図６に示すように、鍵付き被係合部材１２０の位置に合わせて、前表紙９３の端縁部より内側に穿設した孔部１０２としてもよい。この場合には、孔部１０２の上方および下方の双方に、前表紙９３の幅方向に延びるつなぎ部９３Ａ，９３Ｂが設けられる。
【００５３】
（６）上記実施形態では、重ね部２０を前表紙１３の全体に重ね合わせる大きさとしたが、例えば図７に示すように、重ね部１４０を前表紙１３３より小さい幅寸法に設定し、一部に重ねる構成としてもよい。そのようにした場合には、図示はしないが、係合部材を前表紙１３３の露出する部分（重ね部１４０が重ねられない部分）に固定し、側方から鍵付き被係合部材に係合させる構成としてもよく、要は、ファイル本体部と重ね部１４０とが鍵機構によりロックされる構成であればよい。
【００５４】
（７）上記実施形態では、重ね部２０を前表紙１３の外面に重ね合わせる構成としたが、例えば図７に示すように、重ね部１４０の幅寸法を前表紙１３３の幅寸法より小さく設定し、重ね部１４０を前表紙１３３の内面に重ね合わせて閉じる構成とすることもできる（図８参照）。
【００５５】
（８）上記実施形態では、とじ具２１を金属製としたが、他の材質（例えば、プラスチック材料）であってもよい。また、とじ込み機構は上記実施形態に限るものでなく、例えば、多数個の穴用のとじ具や、書類等を挟み込むタイプのとじ具等からなるものであってもよい。
【符号の説明】
【００５６】
１０：鍵付きファイル
１２：裏表紙
１２Ａ：端縁部（裏表紙の端縁部）
１３：前表紙
１４：側板
１４Ａ：側端縁（背表紙側の端縁部）
１５：第１ヒンジ部
１６：背表紙
１７：表表紙
１８：第２ヒンジ部
１９：第３ヒンジ部
２０：重ね部
２１：とじ具
２２：孔部
３０：鍵装置
３１：係合部材
４０：鍵付き被係合部材
４１：係合孔（被係合部）
４２：ダイヤル錠（鍵機構）
【図１】
0003205871.tif 000003
【図２】
0003205871.tif 000004
【図３】
0003205871.tif 000005
【図４】
0003205871.tif 000006
【図５】
0003205871.tif 000007
【図６】
0003205871.tif 000008
【図７】
0003205871.tif 000009
【図８】
0003205871.tif 000010